(57)【要約】  フィルムが巻き付けられる筒状のコアに取り付けるための栓として用いられ、結露の要因となる気中水分及び異物のコア内への侵入を抑制することができるコア用栓、これを備えるフィルムロール及び包装体、並びにこのコア用栓の取り外し方法を提供する。本発明のコア用栓は、フィルムが巻き付けられる筒状のコアに取り付けるためのコア用栓であって、円盤状の弾性体であり、上記コアの軸方向の端部に縮径状態で挿嵌されるコア用栓である。本発明のフィルムロールは、筒状のコアと、このコアに巻き付けられたフィルムと、上記コアの軸方向の端部に縮径状態で挿嵌された上記コア用栓とを備えるフィルムロールである。本発明の包装体は、上記フィルムロールと、上記フィルムロールを包装する包装材料とを備える包装体である。
2017022372.tif 000002
【特許請求の範囲】
【請求項１】
フィルムが巻き付けられる筒状のコアに取り付けるためのコア用栓であって、
円盤状の弾性体であり、
上記コアの軸方向の端部に縮径状態で挿嵌されるコア用栓。
【請求項２】
硬度が３０Ｎ以上３，０００Ｎ以下である請求項１に記載のコア用栓。
【請求項３】
主成分が、ポリウレタン、シリコーン樹脂、天然ゴム、合成ゴム又はこれらの組み合わせである請求項１又は請求項２に記載のコア用栓。
【請求項４】
直径（Ｄ１）に対する厚み（Ｔ）の比（Ｔ／Ｄ１）が、０．０５以上０．３以下である請求項１、請求項２又は請求項３に記載のコア用栓。
【請求項５】
少なくとも一方の面に形成された１又は複数の凹部を有する請求項１から請求項４のいずれか１項に記載のコア用栓。
【請求項６】
筒状のコアと、
このコアに巻き付けられたフィルムと、
上記コアの軸方向の端部に縮径状態で挿嵌された請求項１から請求項５のいずれか１項に記載のコア用栓と
を備えるフィルムロール。
【請求項７】
上記コア用栓の外側面が、上記コアの端面と同一平面上又は上記コアの端面より内側にある請求項６に記載のフィルムロール。
【請求項８】
上記コアの端部の内径（Ｄ２）に対する上記コア用栓の非縮径状態での直径（Ｄ１）の比（Ｄ１／Ｄ２）が、１．００５以上１．０５以下である請求項６又は請求項７に記載のフィルムロール。
【請求項９】
上記フィルムが、ポリビニルアルコールフィルムである請求項６、請求項７又は請求項８に記載のフィルムロール。
【請求項１０】
請求項６から請求項９のいずれか１項に記載のフィルムロールと、
上記フィルムロールを包装する包装材料と
を備える包装体。
【請求項１１】
請求項６から請求項９のいずれか１項に記載のフィルムロールにおける上記コア用栓の取り外し方法であって、
上記コア用栓の外側表面における中心以外の部分を押圧することにより、上記コア用栓を直径方向を回転軸として回転させる工程
を備えるコア用栓の取り外し方法。
【発明の詳細な説明】
【技術分野】
【０００１】
本発明は、コア用栓、フィルムロール、包装体及びコア用栓の取り外し方法に関する。
【背景技術】
【０００２】
一般的にフィルムは、円筒状のコアに巻き付けてフィルムロールとし、これを包装材料で包装した状態で保管、搬送等される。しかし、通常、コアの両端は開放状態になっているため、コア内での結露の発生や、コア内への埃等の異物の進入を招く。このような水分や異物は、フィルムロール搬送時の振動などによりコア内から放出されてフィルムの端面等に接触し、フィルムの品質を低下させる原因となる。例えば、偏光フィルムの原反となるポリビニルアルコール（ＰＶＡ）フィルムは、吸湿性が高く、水分との接触により皺やたるみなどが生じる。このような欠陥は、偏光フィルムの偏光特性の不均一性等を発現する。また、ＰＶＡフィルムの表面に付着した埃等の異物は、得られる偏光フィルムの光学的欠陥の要因となる。【０００３】
そこで、フィルムロールを包装材料で包装する際、余った包装材料をコアの内部に押し込むことなどにより、コア内で発生した結露がフィルムに接触することを防止する方法が提案されている（特開２０１３−２２７０７３号公報参照）。なお、このように余った包装材料をコアの内部に押し込めば、コア端部の開口部分も狭くなるため、コア端部からの埃等の進入もある程度は抑制される。また、フィルムロールのコア内への埃等の進入を防止するため、コアに嵌めるフィルム梱包用キャップも提案されている（特開２０００−１４２６１６号公報参照）。【０００４】
しかし、近年では、フィルムロールの質量が増してきたことから、フィルムロールの熱容量の増加と、これに伴うフィルムロール全体の温度変化速度の低下に起因して、結露がより生じやすくなってきている。加えて、フィルムロールの質量の増加に伴い金属製のコアや炭素繊維強化プラスチック製のコアが用いられるようになってきている。金属製のコアやプラスチック製のコアは、紙製のコアなどと比べて結露が生じやすい。そのため、上述の包装材料の余った部分をコアに押し込む方法では、十分に結露の発生を抑制することができず、包装材料を取り除いてフィルムロールを使用する際には、コア内に溜まった結露が、漏れ出し、フィルムロール端面等に付着してしまう。また、コア端部が開放されているため、異物もコア内へ侵入し、包装材料を取り除く際にフィルムロール端面等に付着することとなる。一方、上記フィルム梱包用キャップも、密閉性を考慮したものでは無く、コア内の結露の発生を十分に抑制することができない。
【先行技術文献】
【特許文献】
【０００５】
【特許文献１】特開２０１３−２２７０７３号公報
【特許文献２】特開２０００−１４２６１６号公報
【発明の概要】
【発明が解決しようとする課題】
【０００６】
本発明は、以上のような事情に基づいてなされたものであり、その目的は、フィルムが巻き付けられる筒状のコアに取り付けるための栓として用いられ、結露の要因となる気中水分及び異物のコア内への侵入を抑制することができるコア用栓、これを備えるフィルムロール及び包装体、並びにこのコア用栓の取り外し方法を提供することである。
【課題を解決するための手段】
【０００７】
上記課題を解決するためになされた発明は、フィルムが巻き付けられる筒状のコアに取り付けるためのコア用栓であって、円盤状の弾性体であり、上記コアの軸方向の端部に縮径状態で挿嵌されるコア用栓である。【０００８】
当該コア用栓は、円盤状の弾性体であり、コアの内径より大きい外径を有する当該コア用栓をコア端部に挿入し、嵌め込むことができる。この際、当該コア用栓は縮径した状態でコア内に挿入され、反発力によりコア内に固定される。このため、当該コア用栓が挿嵌されたコアは密閉性が高く、当該コア用栓は、フィルムロールの保管又は搬送時等において、結露の要因となる気中水分及び異物のコア内への進入を抑制することができる。【０００９】
当該コア用栓の硬度としては、３０Ｎ以上３，０００Ｎ以下が好ましい。このような硬度を有するコア用栓によれば、コアの密閉性や取扱性等をより良好にすることができる。【００１０】
当該コア用栓の主成分が、ポリウレタン、シリコーン樹脂、天然ゴム、合成ゴム又はこれらの組み合わせであることが好ましい。これらの材料を主成分とすることで良好な硬度のコア用栓を得ることができる。【００１１】
当該コア用栓の直径（Ｄ１）に対する厚み（Ｔ）の比（Ｔ／Ｄ１）としては、０．０５以上０．３以下が好ましい。当該コア用栓をコア内に挿嵌したとき、その高い固定性のため、このコア用栓を取り外しにくくなる場合がある。これに対し、当該コア用栓の厚み比（Ｔ／Ｄ１）を上記範囲とした場合、挿嵌されているコア用栓の外側表面における中心以外の部分を押圧することにより、コア用栓を直径方向を回転軸として容易にコア内で回転させることができる。このようにコア内で回転したコア用栓は、コア用栓を手で摘まむことができるので、容易に取り外すことができる。【００１２】
当該コア用栓は、少なくとも一方の面に形成された１又は複数の凹部を有することが好ましい。このような凹部を有することにより、把持性等が高まり、コア用栓の取り付けや取り外し時の作業性を高めることができる。【００１３】
上記課題を解決するためになされた別の発明は、筒状のコアと、このコアに巻き付けられたフィルムと、上記コアの軸方向の端部に縮径状態で挿嵌された上記コア用栓とを備えるフィルムロールである。【００１４】
当該フィルムロールにおいては、弾性を有するコア用栓が縮径した状態でコア内に挿入され、反発力によりコア内に固定されている。このため、当該フィルムロールは、コア内の密閉性が高く、フィルムロールの保管又は搬送時等において、結露の要因となる気中水分及び異物のコア内への進入を抑制することができる。【００１５】
上記コア用栓の外側面が、上記コアの端面と同一平面上又は上記コアの端面より内側にあることが好ましい。このようにコア用栓がコア内に押し込まれている状態で固定されていることで、コア用栓の固定性などを高めることができる。【００１６】
上記コアの端部の内径（Ｄ２）に対する上記コア用栓の非縮径状態での直径（Ｄ１）の比（Ｄ１／Ｄ２）としては、１．００５以上１．０５以下が好ましい。コアに挿嵌されていない状態のコア用栓の直径（Ｄ１）と、このコア用栓が挿嵌されるコアの端部の内径（Ｄ２）との比を上記範囲とすることにより、コア内の良好な密閉性と作業性とを両立させることができる。【００１７】
上記フィルムが、ポリビニルアルコール（ＰＶＡ）フィルムであることが好ましい。ＰＶＡフィルムは、高い品質管理を要求されるため、ＰＶＡフィルムのフィルムロールに本発明を適用することにより、本発明の効果がより顕著に奏される。【００１８】
上記課題を解決するためになされた別の発明は、上記フィルムロールと、上記フィルムロールを包装する包装材料とを備える包装体である。当該包装体は、上記フィルムロールを包装したものであるため、コア内の密閉性に優れ、結露の原因となる気中水分や、異物の侵入が抑制されている。【００１９】
上記課題を解決するためになされた別の発明は、上記フィルムロールにおける上記コア用栓の取り外し方法であって、上記コア用栓の外側表面における中心以外の部分を押圧することにより、上記コア用栓を直径方向を回転軸として回転させる工程を備えるコア用栓の取り外し方法である。【００２０】
当該取り外し方法によれば、このようにして、嵌め込まれているコア用栓をコア内で回転させることにより、コア用栓を容易に取り外すことができる。【００２１】
ここで、「硬度」とは、ＪＩＳ−Ｋ−６４００−２（２０１２）のＤ法に準拠して測定された値をいう。「主成分」とは、最も含有率の多い成分であり、例えば含有率が５０質量％以上の成分をいう。
【発明の効果】
【００２２】
本発明によれば、フィルムロールの保管又は搬送時等において、結露の要因となる気中水分及び異物のコア内への侵入を抑制することができるコア用栓、これを備えるフィルムロール及び包装体、並びにこのコア用栓の取り外し方法を提供することができる。
【図面の簡単な説明】
【００２３】
【図１】図１は、本発明の一実施形態に係るコア用栓の斜視図である。
【図２】図２は、図１のコア用栓を備えるフィルムロールの部分的断面図である。
【図３】図３（ａ）、（ｂ）は、図２のフィルムロールにおけるコア用栓の取り外し方法の説明図である。
【発明を実施するための形態】
【００２４】
以下、適宜図面を参照にしつつ、本発明の一実施形態に係るコア用栓、フィルムロール、包装体及びコア用栓の取り外し方法について詳説する。
【００２５】
＜コア用栓＞
図１のコア用栓１０は、フィルムロールの保管又は搬送時等に用いられるコア用の栓である。コア用栓１０の形状は、円盤状、すなわち偏平の円柱状である。また、コア用栓１０は、力を加えることにより圧縮される弾性体である。このようなコア用栓１０は、長尺のフィルムが巻き付けられた円筒状のコアの軸方向の端部に、縮径状態で挿嵌される蓋となる。コア用栓１０の外周面は凹凸を有さず、外周面全面がコアの内面に密着することができる。
【００２６】
コア用栓１０のサイズは、取り付けられるコアの端部の内径に対応して設定される。コア用栓１０の直径（Ｄ１）は、取り付けられるコアの軸方向の端部の内径（Ｄ２）よりやや大きい。コア用栓１０の直径（Ｄ１）がコアの端部の内径（Ｄ２）よりやや大きいことで、コアの端部に挿嵌し、縮径した状態で固定することができる。
【００２７】
コア用栓１０の直径（Ｄ１）の下限としては、５０ｍｍが好ましく、１００ｍｍがより好ましく、１５０ｍｍがさらに好ましい。一方、この直径（Ｄ１）の上限としては、６００ｍｍが好ましく、４００ｍｍがより好ましく、３００ｍｍがさらに好ましい。
【００２８】
コア用栓１０の厚み（Ｔ）としては、特に限定されないが、下限としては５ｍｍが好ましく、１０ｍｍがより好ましい。一方、この上限としては６０ｍｍが好ましく、４０ｍｍがより好ましい。厚み（Ｔ）が上記下限以上であることにより、強度が高まり、コア内にコア用栓１０がより確実に固定され、密閉性がより向上する。逆に、厚み（Ｔ）が上記上限以下であることにより、嵌め込み及び取り外しの際の作業性がより向上する。特に、後述するようにコア内で回転させてコア用栓１０を取り外す際に、コア用栓１０のコア内での回転がし易くなる。
【００２９】
コア用栓１０の直径（Ｄ１）に対する厚み（Ｔ）の比（Ｔ／Ｄ１）の下限としては、０．０５が好ましく、０．１がより好ましい。一方、この比（Ｔ／Ｄ１）の上限としては、０．３が好ましく、０．２がより好ましい。厚み比（Ｔ／Ｄ１）が上記下限以上であることにより、相対的な厚みが増して強度が高まり、コア内にコア用栓１０がより確実に固定され、密閉性がより向上する。逆に、厚み比（Ｔ／Ｄ１）が上記上限以下であることにより、嵌め込み及び取り外しの際の作業性がより向上し、また、コア内で回転させてコア用栓１０を取り外す際に、コア用栓１０のコア内での回転がし易くなる。
【００３０】
コア用栓１０の硬度の下限としては、３０Ｎが好ましく、６０Ｎがより好ましく、１５０Ｎがさらに好ましい。一方、この上限としては、３，０００Ｎが好ましく、１，５００Ｎがより好ましく、８００Ｎがさらに好ましい。硬度が上記範囲であることにより、コア用栓１０の取扱性や、コアの密閉性等をより良好にすることができる。特に硬度が上記下限以上であることにより、フィルムロールの輸送中の振動などによるコア用栓１０の外れ、固定位置のずれや変形等による隙間の発生を低減することができ、外気の進入によってコア内に結露が生じるのをより効果的に防ぐことができる。逆に、硬度が上記上限以下であることにより、挿嵌する際にコア用栓１０が縮径し易いため、挿嵌が容易になり、また取り外しも容易になる。
【００３１】
コア用栓１０は、単一材料から構成されていることが好ましい。コア用栓１０が、複数の材料（部材）から構成されている場合、少なくとも周面を形成し、かつ質量基準で５０％以上を占める材料（部材）の硬度が上記範囲であることが好ましく、全ての材料（部材）の硬度が上記範囲であることがより好ましい。
【００３２】
コア用栓１０は、弾性体であればその材質は特に限定されず、通常、エラストマーやゴムから形成することができる。コア用栓１０の主成分としては、ポリウレタン、シリコーン樹脂、天然ゴム、合成ゴム又はこれらの組み合わせであることが好ましい。ポリウレタンとは、ウレタン結合を有する重合体をいい、通常、イソシアネート基を有する化合物と水酸基を有する化合物との重合により得ることができる。シリコーン樹脂とは、シロキサン結合を主鎖に有する重合体をいう。合成ゴムとしては、イソプレンゴム、ブタジエンゴム、スチレン−ブタジエンゴム、クロロプレンゴム、ニトリルゴム、エチレン−プロピレンゴム、アクリルゴム、フッ素ゴム等を挙げることができ、エチレン−プロピレンゴムが好ましい。これらは、１種を単独で、又は２種以上を混合して用いることができる。これらの中でも、適度な硬度を有することなどの点からポリウレタンがより好ましい。
【００３３】
当該コア用栓１０におけるポリウレタン、シリコーン樹脂、天然ゴム、合成ゴム又はこれらの組み合わせの含有率の下限としては、５０質量％が好ましく、８０質量％がより好ましく、９５質量％がさらに好ましい。一方、この上限は、１００質量％であってよく、９９質量％であってもよい。これらの主成分以外に当該コア用栓１０に含まれていてもよい成分としては、その他の樹脂成分や、着色剤、酸化防止剤、充填剤などを挙げることができる。
【００３４】
コア用栓１０は、発泡体等の多孔質のものであっても無孔質のものであってもどちらでもよいが、良好な硬度を有し、軽量化されたコア用栓１０を得ることができることなどから発泡体であることが好ましい。好ましい発泡体としては、ウレタンフォーム等の樹脂発泡体が挙げられる。
【００３５】
コア用栓１０は、一方の面に形成された４つの凹部１１を有する。４つの凹部１１は、コア用栓１０の一方の円形の表面の中心部分における正方形の頂点位置に形成されている。これらの凹部１１は、把持の際に指を嵌める穴として設けられている。このような凹部１１を有することにより、把持性等が高まり、コア用栓１０の取り付けや取り外し時の作業性を高めることができる。
【００３６】
これらの凹部１１は、指を挿入して、コア用栓１０を持つことができる程度のサイズに形成されている。凹部１１は、円柱状に形成されている。凹部１１の径としては、例えば１０ｍｍ以上３０ｍｍ以下程度である。凹部１１の深さとしては、例えば１０ｍｍ以上３０ｍｍ以下程度である。また、凹部１１の深さは、強度の維持等の点から、コア用栓１０の厚み（Ｔ）の２／３以下であることが好ましい。
【００３７】
＜フィルムロール＞
図２のフィルムロール２０は、筒状のコア２１と、このコア２１に巻き付けられたフィルム２２と、コア２１の軸方向の端部２３に縮径状態で挿嵌されたコア用栓１０とを備える。
【００３８】
当該フィルムロール２０においては、弾性を有するコア用栓１０が縮径した状態でコア２１内に挿入され、反発力によりコア２１内に固定されている。このため、当該フィルムロール２０は、コア２１内の密閉性が高く、フィルムロールの保管又は搬送時等において、結露の要因となる気中水分及び異物のコア２１内への進入の抑制することができる。
【００３９】
コア２１は、実質的に剛性を有する筒状体である。コア２１は、金属製、合成樹脂製、紙製、木製等のものを挙げることができる。また、金属及び合成樹脂の複合材料、金属及び紙の複合材料、合成樹脂及び紙の複合材料等であってもよい。コア２１としては、強度が強く、また、本発明の効果がより顕著に奏されることから、金属、合成樹脂又はこれらの組み合わせを主成分とするものが好ましい。また、繰り返し使用しても摩耗等の影響を受けにくいことから金属を主成分とするものがより好ましい。コア２１における金属及び合成樹脂の含有率の下限としては、５０質量％が好ましく、８０質量％がより好ましく、９５質量％がさらに好ましく、９９．９質量％が特に好ましい。
【００４０】
上記金属としては、例えば鉄、ステンレス、アルミニウム等が挙げられ、強度、軽量性等の点から、鉄及びアルミニウムが好ましい。これらは１種又は２種以上を用いることができる。
【００４１】
上記合成樹脂としては、例えばポリ塩化ビニル、ポリ塩化ビニリデン、ポリエステル、ポリカーボネート、ポリアミド、エポキシ樹脂、ポリウレタン、ポリウレア、シリコーン樹脂などを挙げることができ、ポリ塩化ビニルが好ましい。また、強度などの点から、炭素繊維強化プラスチック等の繊維強化プラスチック（ＦＲＰ）も好ましい。これらは１種又は２種以上を用いることができる。
【００４２】
当該フィルムロール２０においては、コア２１の内面が金属や合成樹脂等の結露が生じやすい材質で形成されている場合であっても、結露の原因となる気中水分がコア２１内に侵入し難いため、このようなコア２１を用いた場合に本発明の効果がより顕著に奏される。そのため、コア２１の内面において、金属、プラスチック又はこれらの組み合わせが露出している面積割合の下限が、５０％であることが好ましく、８０％であることがより好ましく、１００％であることがさらに好ましい。
【００４３】
コア２１の外径及び内径としては特に限定されず、例えばコア２１の端部２３の内径（Ｄ２）を５０ｍｍ以上６００ｍｍ以下程度とすることができる。コア２１の軸方向長さは、巻き付けられるフィルム２２の幅に応じて適宜設定される。コア２１の軸方向長さとしては、例えば２ｍ以上１０ｍ以下とすることができる。
【００４４】
コア２１に巻き付けられるフィルム２２に特に制限は無く、ポリビニルアルコール（ＰＶＡ）フィルム、トリアセチルセルロース（ＴＡＣ）フィルム、ポリエステルフィルム、ポリアミドフィルム、ノルボルネン系樹脂フィルム等の樹脂フィルムを挙げることができる。これらの中でも、ＰＶＡフィルムやＴＡＣフィルム等の光学用フィルム、特にＰＶＡフィルムである場合に、本発明の効果がより顕著に奏される。ＰＶＡフィルムは、偏光フィルムを製造するための原反などとして高い品質が要求され、水や異物による影響が大きいためである。
【００４５】
ＰＶＡフィルムを形成するＰＶＡは、例えば酢酸ビニル等のビニルエステルを重合して得られたポリビニルエステルをけん化することにより得られたものを用いることができる。ＰＶＡフィルムには、ＰＶＡの他、必要に応じて可塑剤、界面活性剤、着色剤等の添加剤が含有されていてもよい。
【００４６】
フィルム２２の幅は特に限定されないが、下限としては、２ｍが好ましく、２．１ｍがより好ましく、３ｍがさらに好ましく、３．３ｍが特に好ましい。フィルム２２の幅が広い場合、コア２１も長くなり、コア２１の内面積が大きくなる。従って、この場合、一般的にコア２１内での結露が生じやすくなるため、本発明の効果がより顕著に奏されることとなる。一方、フィルム２２の幅の上限としては、１０ｍが好ましく、８ｍがより好ましい。フィルム２２の幅が上記上限以下であることにより、取扱性等が向上する。
【００４７】
フィルム２２の長さは特に制限は無いが、下限としては、１，０００ｍが好ましく、２，０００ｍがより好ましく、５，０００ｍがさらに好ましく、８，０００ｍが特に好ましい。長さが上記下限以上であることにより、巻き始めや巻き終わりの部分で発生するロスの全体に対する割合が大きくなるのを抑制することができ、作業性も向上する。また、一般にフィルム２２の長さが長い方が熱容量が大きくなってコア２１内での結露が生じやすくなるため、本発明の効果がより顕著に奏されることとなる。一方、フィルム２２の長さの上限としては、例えば２０，０００ｍが好ましく、１５，０００ｍがより好ましく、１０，０００ｍがさらに好ましい。長さが上記上限以下であることにより、フィルムロール２０の質量や直径が過大となるのを抑制することができ、架台や加工装置への積み降ろしや、移動の際の取扱性が向上する。
【００４８】
フィルム２２の平均厚みは、材質や用途などにもよるが、例えば５μｍ以上５００μｍ以下とすることができる。フィルム２２が巻き付けられた状態におけるフィルム２２の層全体の厚みとしては、例えば５０ｍｍ以上１，０００ｍｍ以下とすることができる。
【００４９】
フィルム２２は、流延製膜法、湿式製膜法、乾式製膜法、ゲル製膜法、溶融押出製膜法等の公知の方法により得ることができる。
【００５０】
コア用栓１０は、コア２１の両端にそれぞれ、径方向に圧縮された状態で嵌合されている。コア用栓１０は、図１のコア用栓１０と同様であるので、同一番号を付して詳細な説明を省略する。コア用栓１０の非縮径状態での直径（Ｄ１：図１参照）は、コア用栓１０が挿嵌されているコア２１の端部２３の内径（Ｄ２）よりやや大きい。このため、コア用栓１０は、コア２１の端部２３に縮径した状態で挿入され、反発力によりコア２１内に固定されることができる。
【００５１】
コア２１の端部２３の内径（Ｄ２）に対するコア用栓１０の非縮径状態での直径（Ｄ１）の比（Ｄ１／Ｄ２）の下限としては、１．００５が好ましく、１．００９がより好ましい。一方、この比（Ｄ１／Ｄ２）の上限としては、１．０５が好ましく、１．０３がより好ましい。この比（Ｄ１／Ｄ２）が上記範囲である場合、良好な密閉性と作業性とを両立させることができる。特に比（Ｄ１／Ｄ２）が上記下限以上であることにより、コア２１にコア用栓１０を挿嵌した際に、コア用栓１０が十分に縮径し、コア用栓１０の固定がより確実になる。この場合、フィルムロール２０の輸送中の振動などによるコア用栓１０の外れ、固定位置のずれや変形等による隙間の発生を低減することができ、外気の進入によってコア２１内に結露が生じるのをより効果的に防ぐことができる。逆に比（Ｄ１／Ｄ２）が上記上限以下であることにより、コア用栓１０のコア２１の端部２３への挿嵌が容易になり、また取り外しも容易になる。
【００５２】
コア用栓１０を挿嵌した状態におけるコア用栓１０の外側面１２は、コア２１の端部２３の端面２４と同一平面上、又はコア２１のこの端面２４より内側にあることが好ましい。外側面１２とは、コア用栓１０をコア２１に挿嵌した状態において、露出している側の底面をいう。このようにコア用栓１０がコア２１内に押し込まれている状態で固定されていることで、コア用栓１０の固定性などを高めることができる。コア用栓１０の外側面１２が、コア２１の端部２３の端面２４よりも外側に位置する場合、フィルムロール２０の輸送時等に、コア用栓１０に障害物が接触することなどにより、コア用栓１０が外れたり、破損したりするおそれがある。
【００５３】
一方、コア用栓１０をコア２１に押し込み過ぎた場合、コア２１内におけるコア用栓１０の外側部分での結露の発生や、異物の付着等が生じやすくなる。また、コア用栓１０の取り外しも困難になるおそれがある。このため、コア用栓１０の外側面１２が、コア２１の端面２３より内側にある場合、コア用栓１０の外側面１２と、コア２１の端面２４との間の距離としては、１００ｍｍ以下が好ましく、５０ｍｍ以下がより好ましく、２０ｍｍ以下がさらに好ましい。
【００５４】
フィルムロール２０の質量の下限としては、５００ｋｇが好ましく、１，５００ｋｇがより好ましく、２，５００ｋｇがさらに好ましい。本発明においては、その質量が大きく、熱容量が大きくなる結果、結露が生じやすい場合であっても、コア用栓１０により結露の発生を抑制できる。そのため、上記下限以上の質量を有するフィルムロール２０において、本発明の効果がより顕著に奏される。なお、フィルムロール２０の質量の上限としては、取扱性等の点から、５，０００ｋｇとすることができる。
【００５５】
フィルムロール２０によれば、コア用栓１０により、コア２１内への気中水分の侵入が抑制されているため、結露が発生しやすいような環境下等においても、フィルム２２の品質を維持することができる。具体的には、温度変化の激しい航空機や船舶での輸送や、低温にさらされる倉庫に保管後の使用などにおいても、結露の発生が抑制される。また、コア２１内への異物の侵入を抑制できるため、埃、害虫などの多い保管環境下においても、コア２１内を清浄な状態に保つことができ、コア２１内からの異物の漏れ出しによるフィルム２２の汚染を回避することができる。また、コア用栓１０は、同一のコア、又は同サイズのコアに対して、繰り返し使用することができる。
【００５６】
＜包装体＞
本発明の一実施形態に係る包装体は、図２のフィルムロール２０と、このフィルムロール２０を包装する包装材料とを備える。当該包装体は、フィルムロール２０を包装したものであるため、コア２１内の密閉性に優れ、結露の原因となる気中水分や、異物の侵入が抑制されている。
【００５７】
上記包装材料としては、特に限定されず、通常、フィルム（シート）であり、単層フィルムであってもよく、積層フィルムであってもよい。
【００５８】
単層フィルムとしては、ポリプロピレンフィルム、ポリエチレンフィルム等を挙げることができる。
【００５９】
積層フィルムとしては、複数の樹脂層の積層フィルム、樹脂層と蒸着層との積層フィルム、樹脂層と金属箔との積層フィルムなどを挙げることができ、具体的にはポリエチレンテレフタレートにアルミニウムを蒸着させた積層フィルム、ポリエステルとアルミニウム箔とポリエチレンとの積層フィルム、アルミニウム蒸着ポリエステルとポリエチレンとの積層フィルム、アルミナ蒸着ポリエステルとポリエチレンとの積層フィルム、ガラス蒸着ポリエステルとポリエチレンとの積層フィルム、ポリ塩化ビニリデンコートポリプロピレンとポリエチレンとの積層フィルム等を挙げることができる。包装材料は、１種を単独で用いることもできるが、２種以上を併用することもできる。
【００６０】
２種以上の包装材料を併用する場合、フィルムロール２０を２種の包装材料で二重に包装することができる。この場合、フィルムロール２０と接触しない外側の包装材料としては、機械的強度が優れたものが好ましく、例えば高密度ポリエチレンフィルムが好ましく使用される。一方、フィルムロール２０と接触する内側の包装材料としては、防湿性に優れる包装材料を用いることが好ましい。このような包装材料としては、ポリエチレンテレフタレートにアルミニウムを蒸着させた積層フィルム、ポリエステルとアルミニウム箔とポリエチレンとの積層フィルム、アルミニウム蒸着ポリエステルとポリエチレンとの積層フィルム、アルミナ蒸着ポリエステルとポリエチレンとの積層フィルム、ガラス蒸着ポリエステルとポリエチレンとの積層フィルム等の積層フィルムなどを挙げることができる。
【００６１】
フィルムロール２０を包装材料で包装する際の包装方法としては特に制限は無く、（１）シート状の包装材料をフィルムロール２０の外周に沿って巻き付けた後、フィルムロール２０の軸方向にはみ出した包装材料の両端部分を絞り、この絞った包装材料をコア２１の端部２３の外周面上に固定する方法、（２）筒状に加工された包装材料にフィルムロール２０を挿入した後、フィルムロール２０の軸方向にはみ出した包装材料の両端部分を絞り、この絞った包装材料をコア２１の端部２３の外周面上に固定する方法などが挙げられる。
【００６２】
なお、上記包装体において、ロールの両端部分で絞った包装材料をコアの端部の外周面上に固定した後、余った包装材料をコアの内側に押し込んでもよい。この場合、包装材料をコア内に押し込んだのち、コア用栓をコアに挿嵌することにより、包装材料の端部を固定することができる。また、コア用栓をコアに挿嵌した状態のフィルムロールに対して包装材料により包装を施してもよい。いずれの場合においても、コア用栓により、コアを十分に密閉した状態とすることができる。
【００６３】
絞った包装材料をコア２１の端部２３の外周面上に固定する方法としては、締め付け部材による方法、両面テープや接着剤による方法、包装材料を熱融着させる方法などが挙げられる。上記締め付け部材としては、粘着テープ、結束バンド、伸縮性バンド等が挙げられる。
【００６４】
なお、上記包装体は、フィルム２２の保護のためにワッシャーを備えることが好ましい。具体的には、フィルムロール２０の端部にワッシャーを配置してから包装材料によって包装してもよいし、包装材料によってフィルムロール２０を包装した後、包装された状態のフィルムロール２０の端部にワッシャーを配置してもよい。包装前に配置するワッシャーとしては、ポリスチレンワッシャー、ウレタンワッシャー等を用いることができる。包装後に配置するワッシャーとしては、木製ワッシャー、段ボールワッシャー等を用いることができる。
【００６５】
当該包装体を保管する際の保管温度の下限としては、−２０℃が好ましく、−１０℃がより好ましく、−５℃がさらに好ましい。一方、この上限としては、５０℃が好ましく、４０℃がより好ましく、３０℃がさらに好ましい。なお、当該包装体は、コア２１の密閉性が高いため、１０℃以下（さらには５℃以下、特には０℃以下）の低温下に保管された場合であっても、保管後に他の場所に搬送した際に発生しやすい結露の発生が抑制される。従って、このような低温下での保管の際に、本発明の効果がより顕著に奏される。
【００６６】
当該包装体を保管する際の湿度としては、８０％ＲＨ以下が好ましく、５０％ＲＨ以下がより好ましい。当該包装体の保管期間も特に制限は無いが、この下限としては８時間が好ましく、１０時間がより好ましい。一方、この上限としては１年が好ましく、６か月がより好ましい。
【００６７】
＜コア用栓の取り外し方法＞
フィルムロール２０におけるコア用栓１０の取り外し方法は、
コア用栓１０の外側表面における中心以外の部分１３を押圧することにより、コア用栓１０を直径方向を回転軸として回転させる工程
を備える（図３（ａ）、（ｂ）参照）。
【００６８】
フィルムロール２０においては、コア用栓１０はコア２１に挿嵌されているため、搬送中等において外れにくい一方、取り外しも難しい点がある。しかし、上記方法によってコア用栓１０を回転させることにより、特別な器具や大きな力を要することなく、コア用栓１０を容易に取り外すことができる。
【００６９】
コア用栓１０の外側表面における中心以外の部分１３としては、中心と外縁との中間よりも外側が好ましい。コア用栓１０の押圧は、コア２１の軸方向に沿って行うことができる。すなわち、図２において右側から左側に向かう方向に押圧することができる。また、この押圧は、手によって行うことができる。この押圧により、コア用栓１０は、その直径方向を回転軸として回転する（図３（ｂ）参照）。なお、コア用栓１０が、上述のような硬度やサイズ等を有する際に、上記押圧による回転が特に良好に生じ、より容易に取り外すことが可能となる。
【００７０】
＜他の実施形態＞
本発明のコア用栓、フィルムロール、包装体及びコア用栓の取り外し方法は、上記実施の形態に限定されるものでは無い。例えばコア用栓に形成される凹部の数は、３以下であってもよいし、５以上であってもよい。また、この凹部は形成されていなくてもよいし、両面に形成されていてもよい。
【産業上の利用可能性】
【００７１】
本発明は、高い品質が要求されるＰＶＡフィルムのフィルムロールの保管や搬送の際などに、このフィルムロールのコアに取り付ける栓として好適に用いることができる。
【符号の説明】
【００７２】
１０  コア用栓
１１  凹部
１２  外側面
１３  中心以外の部分
２０  フィルムロール
２１  コア
２２  フィルム
２３  コアの端部
２４  コアの端面
【図１】
2017022372.tif 000003
【図２】
2017022372.tif 000004
【図３】
2017022372.tif 000005
【国際調査報告】
2017022372.tif 000006
2017022372.tif 000007
2017022372.tif 000008
2017022372.tif 000009